(57)【要約】【課題】回り止めしてある雄ネジ部材に雌ネジ部材を貫通状態で螺合させるにあたって、螺合用工具を雌ネジ部材に対して着脱しながら操作するというような煩雑な作業を繰り返すことなく、雌ネジ部材の雄ネジ部材に対する螺進量が所望螺進量になるように管理できるようにする。【解決手段】雌ネジ部材を回り止め状態で嵌合可能な嵌合部５と、雌ネジ部材の嵌合深さを規制可能な深さ規制部６とを先端側に備えた螺進操作部材３の内側に、雌ネジ部材の螺進操作に伴って、その雌ネジ部材から繰り出される雄ネジ部材が入り込む空間７を嵌合部の奥側に開口するように設けるとともに、空間に入り込んだ雄ネジ部材先端に接当可能な接当部材８を雄ネジ部材が雌ネジ部材から繰り出されるに伴って移動自在に設け、接当部材の雄ネジ部材先端が接当してからの螺進操作部材に対する相対移動量Ｙを表示可能な表示部１７を設けてある。【選択図】        図２
2004223621.tif 000002
【特許請求の範囲】
【請求項１】
回り止めしてある雄ネジ部材に対して雌ネジ部材を貫通状態で螺合させるための螺合用工具であって、
前記雌ネジ部材を回り止め状態で嵌合可能な嵌合部と、前記雌ネジ部材の前記嵌合部に対する嵌合深さを規制可能な深さ規制部とを先端側に備えた螺進操作部材の内側に、前記雌ネジ部材の前記雄ネジ部材への螺進操作に伴って、その雌ネジ部材から繰り出される雄ネジ部材が入り込む空間を前記嵌合部の奥側に開口するように設けるとともに、
前記空間に入り込んだ雄ネジ部材の先端に接当可能な接当部材を、前記雄ネジ部材が前記雌ネジ部材から繰り出されるに伴って移動自在に設け、
前記接当部材の前記雄ネジ部材の先端が接当してからの前記螺進操作部材に対する相対移動量を表示可能な表示部を設けてある螺合用工具。
【請求項２】
前記表示部を前記螺進操作部材の基部側に設けてある請求項１記載の螺合用工具。
【請求項３】
前記接当部材を前記嵌合部側に向けて移動付勢する付勢手段を設けてある請求項１又は２記載の螺合用工具。
【請求項４】
前記接当部材が前記嵌合部側に入り込まないように規制可能な入り込み規制部を設けてある請求項１〜３のいずれか１項記載の螺合用工具。
【発明の詳細な説明】
【０００１】
【発明の属する技術分野】
本発明は、回り止めしてある雄ネジ部材に対して雌ネジ部材を貫通状態で螺合させるための螺合用工具に関する。
【０００２】
【従来の技術】
雄ネジ部材と雌ネジ部材との螺合によって締め付け対象物を締め付け固定するにあたって、締め付けトルクによらずに、雄ネジ部材と雌ネジ部材との螺進量が所望螺進量になるように管理して、過度の締め付けを防止できるように構成した螺合用工具が従来から提案されている。
このような螺合用工具では、例えば、締め付け対象物に形成してある貫通孔に挿通したレンチ穴付きボルト（雄ネジ部材）  を、固定箇所に形成してある雌ネジ部に螺合して締め付け対象物を締め付け固定するにあたって、ボルトのレンチ穴に回り止め状態で嵌合可能なレンチ（螺進操作部材）  を回転軸芯方向への相対移動ができないようにホルダに回転自在に支持し、そのホルダにレンチの先端よりも所望螺進量に対応する長さだけ前方に突出する突出部材を設けて、レンチをボルトに嵌合させて回転させる螺進操作に伴って、ホルダが突出部材と共に雌ネジ部を形成してある固定箇所側に近接移動し、突出部材の先端が固定箇所に接当することにより、レンチの回転操作にかかわらず、レンチの固定箇所側への移動を規制して、雄ネジ部材と雌ネジ部材との螺進量が所望螺進量になるように管理できるように構成している（例えば、特許文献１参照）  。
【０００３】
【特許文献１】
特開２０００−２６３４５８号公報
【０００４】
【発明が解決しようとする課題】
上記従来の螺合用工具は、レンチ穴付き雄ネジ部材をレンチで固定箇所の雌ネジ部に螺進操作するためのものであって、固定箇所に回り止めしてある雄ネジ部材に対して雌ネジ部材を貫通状態で螺合させることができないので、例えば、断熱材取り付け工事において、配管などの被断熱部材に固定した雄ネジ部材を、その被断熱部材に取り付けようとする発泡断熱材（締め付け対象物）  に貫通させ、雄ネジ部材の断熱材からの突出部に雌ネジ部材を貫通状態で螺合させて、過度の締め付けによって断熱材が破損しないように、雌ネジ部材の雄ネジ部材に対する螺進量を管理するような作業には使用できない。
そこで、従来、図４（イ）  に例示するように、被断熱部材Ｂの外面側に回り止め状態で立設してあるボルト（雄ネジ部材）  １に、ナット（雌ネジ部材）  ２の所望螺進量に対応する位置を示すマーク２１を設けておき、ボックスレンチなどの螺合用工具Ａによる螺進操作でナット２をマーク２１を越える貫通状態でボルト１に螺合させ、図４（ロ）  に示すように、ナット２の螺合方向上手側端面とマーク２１とが一致するまで螺合すると、螺合用工具Ａによる螺進操作を停止して、ナット２のボルト１に対する螺進量を管理することが行われている。
しかしながら、ナット２の螺合方向上手側端面とマーク２１とが一致するまで螺進させたか否かを確認するために、螺合用工具Ａによる螺進操作を停止して螺合用工具Ａをナット２から外し、ナット２の螺合方向上手側端面とマーク２１とが一致していない場合は、再度、螺合用工具Ａでナット２を更に螺進させるという煩雑な作業を繰り返す必要がある。
本発明は上記実情に鑑みてなされたものであって、回り止めしてある雄ネジ部材に対して雌ネジ部材を貫通状態で螺合させるにあたって、螺合用工具を雌ネジ部材に対して着脱しながら操作するというような煩雑な作業を繰り返すことなく、雌ネジ部材の雄ネジ部材に対する螺進量が所望螺進量になるように管理できるようにすることを目的とする。
【０００５】
【課題を解決するための手段】
請求項１記載の発明の特徴構成は、回り止めしてある雄ネジ部材に対して雌ネジ部材を貫通状態で螺合させるための螺合用工具であって、前記雌ネジ部材を回り止め状態で嵌合可能な嵌合部と、前記雌ネジ部材の前記嵌合部に対する嵌合深さを規制可能な深さ規制部とを先端側に備えた螺進操作部材の内側に、前記雌ネジ部材の前記雄ネジ部材への螺進操作に伴って、その雌ネジ部材から繰り出される雄ネジ部材が入り込む空間を前記嵌合部の奥側に開口するように設けるとともに、前記空間に入り込んだ雄ネジ部材の先端に接当可能な接当部材を、前記雄ネジ部材が前記雌ネジ部材から繰り出されるに伴って移動自在に設け、前記接当部材の前記雄ネジ部材の先端が接当してからの前記螺進操作部材に対する相対移動量を表示可能な表示部を設けてある点にある。
【０００６】
〔作用及び効果〕
図２に例示するように、螺進操作部材３の回転による螺進操作で、その先端側に備えた嵌合部５に深さ規制部６で嵌合深さが規制されて回り止め状態で嵌合してある雌ネジ部材２を、回り止めしてある雄ネジ部材１に螺合させ、その螺合に伴って、雌ネジ部材２から相対的に繰り出された雄ネジ部材１が、螺進操作部材３の内側に嵌合部５の奥側に開口するように設けてある空間７に入り込む。
そして、空間３に入り込んだ雄ネジ部材１の先端が接当部材８に接当することにより、雄ネジ部材１の先端の雌ネジ部材２からの繰り出しに伴って接当部材８が移動するので、雄ネジ部材１の先端が接当してからの螺進操作部材３に対する接当部材８の相対移動量Ｙが表示部１７に表示され、表示された相対移動量Ｙが、雌ネジ部材２の雄ネジ部材１に対する所望螺進量に対応する相対移動量として予め求めてある移動量になると、螺進操作部材３による螺進操作を停止する。
従って、回り止めしてある雄ネジ部材に対して雌ネジ部材を貫通状態で螺合させるにあたって、螺合用工具を雌ネジ部材に対して着脱しながら操作するというような煩雑な作業を繰り返すことなく、雌ネジ部材の雄ネジ部材に対する螺進量が所望螺進量になるように管理できる。
尚、作用及び効果を容易に理解できるように、添付図面を参照して説明したが、本発明は添付図面の構成に限定されるものではない。
【０００７】
請求項２記載の発明の特徴構成は、前記表示部を前記螺進操作部材の基部側に設けてある点にある。
【０００８】
〔作用及び効果〕
表示部を螺進操作部材の基部側に設けてあるので、螺進操作部材を操作している作業者が、表示された相対移動量を間近に見ることができ、例えば、雌ネジ部材の雄ネジ部材に対する螺進量が所望螺進量になったときの螺進操作部材の先端部が、締め付け対象物に形成してある深い座ぐり孔の奥に位置しているような場合でも、螺進量が所望螺進量になるように容易に管理できる。
【０００９】
請求項３記載の発明の特徴構成は、前記接当部材を前記嵌合部側に向けて移動付勢する付勢手段を設けてある点にある。
【００１０】
〔作用及び効果〕
接当部材が嵌合部側に向けて移動付勢されて、空間に入り込んだ雄ネジ部材の先端に対して接当するので、接当部材を雄ネジ部材の雌ネジ部材からの繰り出し移動に確実に追従して移動させることができ、また、雌ネジ部材と嵌合部との嵌合を解除するに伴って、接当部材が嵌合部側に向けて移動するので、表示部における螺進量の表示を確実に初期化することができる。
【００１１】
請求項４記載の発明の特徴構成は、前記接当部材が前記嵌合部側に入り込まないように規制可能な入り込み規制部を設けてある点にある。
【００１２】
〔作用及び効果〕
接当部材が嵌合部側に入り込まないように規制できるので、雄ネジ部材との螺合前に嵌合部に嵌合した雌ネジ部材が、接当部材によって嵌合部から押し出されるようなおそれがなく、例えば、雄ネジ部材の先端が締め付け対象物に形成してある深い座ぐり孔の奥に位置しているような場合でも、雌ネジ部材を嵌合部に予め嵌合した状態で螺進操作部材を座ぐり孔の奥に入り込ませて、雄ネジ部材の先端に容易に螺合させることができる。
【００１３】
【発明の実施の形態】
以下に本発明の実施の形態を図面に基づいて説明する。
図１は、回り止めしてあるボルト（雄ネジ部材）  １に対してナット（雌ネジ部材）  ２を貫通状態で螺合させるための本発明による螺合用工具Ａを示し、円筒状に形成してある螺進操作部材３の基部に手動操作用の把持部４を設け、螺進操作部材３の先端側の内側に、ナット２を回り止め状態で嵌合可能なナット嵌合部５と、ナット２のナット嵌合部５に対する嵌合深さを規制可能な鍔状部材（深さ規制部）  ６とを設けてある。
【００１４】
前記ナット嵌合部５よりも奥側の螺進操作部材内側に、ナット２のボルト１への螺進操作に伴って、そのナット２から相対的に繰り出されるボルト１が入り込むボルト侵入空間７を鍔状部材６の内側を通してナット嵌合部５の奥側に開口するように設けるとともに、そのボルト侵入空間７に入り込んだボルト１の先端に接当可能なロッド（接当部材）  ８を、螺進操作部材３と同芯状に長手方向に移動自在に設けてある。
【００１５】
前記ロッド８は、螺進操作部材基部側（以下、単に基部側という）  の端部に設けた円板状のスプリング受け部材９と把持部４との間に圧縮スプリング（付勢手段）  １０を装着して、ナット嵌合部側に向けて移動付勢してあり、ナット嵌合部５に嵌合されているナット２からボルト１が相対的に繰り出されるに伴って、そのボルト１の先端で押されて、付勢力に抗して基部側に移動するように設けてある。
【００１６】
前記ロッド８の先端部近くに環状の外向き鍔部１１を設けるとともに、螺進操作部材３の内側に環状の内向き鍔部１２を設けて、基部側からの外向き鍔部１１の内向き鍔部１２に対する接当でロッド８がナット嵌合部側に入り込まないように規制可能な入り込み規制部１３を構成し、ロッド８の先端位置を、螺進操作部材長手方向で、鍔状部材６のナット嵌合部側端面１４と同じ位置の待機位置Ｘに保持できるように構成してある。
【００１７】
そして、把持部４を把持している使用者がスプリング受け部材９の位置を外部から確認できるように螺進操作部材３の基部側に表示窓１５を形成し、その表示窓１５に沿って目盛り１６を設けて、ロッド８の先端の待機位置Ｘから基部側への移動量を表示可能な表示部１７を螺進操作部材３の基部側に設け、図２に示すように、ナット嵌合部５に嵌合してあるナット２から繰り出されたボルト１の先端がロッド８に接当してからの、ロッド８の螺進操作部材３に対する相対移動量Ｙを表示できるように構成してある。
【００１８】
次に、図３に示すように、配管やタンク，煙突などを構成している被断熱部材Ｂの外面側に、比較的変形し易い樹脂製発泡断熱材（締め付け対象物）  Ｃを取り付ける断熱材取り付け工事において、図２に示すように、上記螺合用工具Ａを使用して、ボルト１とナット２との螺進量が所望螺進量になるように管理して、断熱材Ｃを圧縮破損しないように被断熱部材Ｂに締め付け固定する方法を説明する。
【００１９】
被断熱部材Ｂの外面側にはボルト１を回り止め状態で立設してあり、断熱材Ｃにはボルト挿通孔１８と座ぐり孔１９とを一連に形成してあり、図３（イ）  に示すように、ボルト１を断熱材Ｃのボルト挿通孔１８に挿通してそのボルト先端をワッシャ２０と座ぐり孔１９に入り込ませる。
【００２０】
次に、図２（イ）  に示すように、ナット嵌合部５にナット２を嵌合させた螺進操作部材３を座ぐり孔１９に入り込ませて、使用者が把持している把持部４で螺進操作部材３を回転させる螺進操作でナット２をボルト１に螺合させ、その螺合に伴って、ボルト１がナット２から相対的に繰り出されるとともに、螺進操作部材３のボルト侵入空間７に入り込む。
【００２１】
そして、ボルト侵入空間７に入り込んだボルト１の先端がロッド８に接当することにより、ロッド８がボルト１のナット２からの繰り出しに伴って移動して、図２（ロ）  に示すように、ボルト１の先端が接当してからの螺進操作部材３に対するロッド８の相対移動量Ｙがスプリング受け部材９の位置として表示部１７に表示され、表示された相対移動量Ｙが、ナット２のボルト１に対する所望螺進量に対応する相対移動量Ｙとして予め求めてある移動量になると、螺進操作部材３による螺進操作を停止して、螺進操作部材３を座ぐり孔１９から抜き出し、図３（ロ）  に示すように、断熱材Ｃを圧縮破損しないように被断熱部材Ｂに締め付け固定する。
【００２２】
〔その他の実施形態〕
１．本発明による螺合用工具は、接当部材の移動に連動して移動する移動部材を別途設けて、その移動部材で接当部材の螺進操作部材に対する相対移動量を表示可能な表示部を設けてあっても良い。
２．本発明による螺合用工具は、螺進操作部材を駆動回転させる電動モータなどの駆動装置を設けてあっても良い。
【図面の簡単な説明】
【図１】（イ）    螺合用工具の内部を示す一部破断側面図
（ロ）    螺合用工具の側面図
【図２】螺合用工具の使用方法の説明図
【図３】断熱材取り付け工事の説明図
【図４】従来技術の説明図
【符号の説明】
１    雄ネジ部材
２    雌ネジ部材
３    螺進操作部材
５    嵌合部
６    深さ規制部
７    空間
８    接当部材
１０  付勢手段
１３  入り込み規制部
１７  表示部
Ｙ    相対移動量
【図１】
2004223621.tif 000003
【図２】
2004223621.tif 000004
【図３】
2004223621.tif 000005
【図４】
2004223621.tif 000006